(57)【要約】画像記録装置を大型化せずに、画像の読取後適切な範囲で記録媒体を剥離させることのできる画像記録装置を提供する。インクジェット記録装置（１）は、記録媒体Ｐを搬送面に粘着させて搬送する搬送部（１０）と、搬送面に粘着した記録媒体に対して画像を記録する画像記録部（２０）と、搬送部による記録媒体の搬送経路における画像記録部による画像の記録動作範囲よりも、搬送部による記録媒体の搬送方向について下流側で記録媒体の表面を読み取る読取部（３０）と、搬送面に粘着した記録媒体を搬送面から引き剥がすことで剥離させる剥離動作部（６０）と、記録媒体の搬送面からの剥離状況を読取部による読取動作範囲よりも搬送方向について下流側で検出する媒体検出部（５０）と、を備える。
2018110630.tif 000002
【特許請求の範囲】
【請求項１】
記録媒体を搬送面に粘着させて搬送する搬送部と、  前記搬送面に粘着した記録媒体に対して画像を記録する記録部と、  前記搬送部による記録媒体の搬送経路における前記記録部による画像の記録動作範囲よりも、前記搬送部による記録媒体の搬送方向について下流側で記録媒体の表面を読み取る読取部と、  前記搬送面に粘着した記録媒体を前記搬送面から引き剥がすことで剥離させる剥離動作部と、  記録媒体の前記搬送面からの剥離状況を前記読取部による読取動作範囲よりも前記搬送方向について下流側で検出する検出部と、  を備える画像記録装置。
【請求項２】
前記検出部は、発光部と、前記発光部からの出射光を検出する受光部とを有し、  記録媒体の剥離に伴う前記搬送面からの浮き上がりの有無に応じて当該出射光の前記受光部への入射状態が変化することで前記剥離状況の検出が行われる  請求項１記載の画像記録装置。
【請求項３】
前記出射光の経路は、前記搬送方向及び前記搬送面に平行な面内で当該搬送方向に垂直な幅方向に対してそれぞれ斜めの方向に定められている請求項２記載の画像記録装置。
【請求項４】
前記検出部は、前記受光部を２つ有し、当該２つの受光部は、各々による前記出射光の検出結果の組み合わせに応じて記録媒体の剥離位置が前記搬送方向について所定の剥離範囲の内側、上流側及び下流側のうち何れであるかが判別可能に配置されている請求項２又は３記載の画像記録装置。
【請求項５】
前記発光部は、前記出射光の出射位置よりも前記搬送方向について上流側で前記出射光を検出する上流側受光部と、前記出射位置よりも前記搬送方向について下流側で前記出射光を検出する下流側受光部との前記２つの受光部に対し、それぞれ前記出射光を出射する請求項４記載の画像記録装置。
【請求項６】
前記検出部の検出結果に基づいて剥離位置が前記所定の剥離範囲内に収まるように前記剥離動作部の動作を制御する制御部を備える請求項４又は５記載の画像記録装置。
【請求項７】
前記剥離動作部は、前記搬送部による記録媒体の搬送速度に同期した速度で当該記録媒体を前記搬送面から離隔する方向へ引き上げ、  前記制御部は、剥離位置と前記所定の剥離範囲との位置関係に基づいて前記引き上げの速度を変化させる請求項６記載の画像記録装置。
【請求項８】
前記搬送方向について前記所定の剥離範囲よりも上流側且つ前記読取動作範囲よりも下流側で記録媒体の剥離異常を検出する第１の剥離異常検出部を備える請求項４〜７の何れか一項に記載の画像記録装置。
【請求項９】
前記搬送方向について前記所定の剥離範囲よりも下流側で記録媒体の剥離異常を検出する第２の剥離異常検出部を備える請求項４〜８の何れか一項に記載の画像記録装置。
【請求項１０】
前記搬送面は、所定の周回経路に沿って周回移動する無端状部材の一の面であり、  前記搬送方向について前記読取動作範囲と前記所定の剥離範囲における最も下流側の位置との間には、前記無端状部材の振動を抑制する防振部が設けられている請求項１〜９の何れか一項に記載の画像記録装置。
【請求項１１】
前記防振部は、前記無端状部材の前記一の面とは反対側の面に接して設けられ、当該無端状部材の周回移動に従って回転動作するローラーを有する請求項１０記載の画像記録装置。
【発明の詳細な説明】
【技術分野】
【０００１】  この発明は、画像記録装置に関する。
【背景技術】
【０００２】  従来、吐出されたインクを着弾させて記録媒体上に画像を記録する画像記録装置（インクジェット記録装置）がある。インクジェット記録装置では、種々のインクを用いることで幅広い媒体に対して画像を記録することができる。このようなインクジェット記録装置が対象とする記録媒体には、連帳紙や布帛といった長尺のものが含まれる。【０００３】  このような長尺の記録媒体に画像を記録する場合、記録媒体は搬送ベルトなどの搬送部材に載置されて搬送され、インクを吐出するノズルが設けられた記録部に対して相対移動される。この記録媒体の搬送部材からの浮き上がりや位置ずれを防止するために、記録媒体を搬送部材に吸着や粘着させる種々の技術がある。この技術を用いて記録媒体を搬送部材に粘着させる場合には、画像の記録後に記録媒体を搬送部材から剥離させる必要が生じる。これに対し、従来、搬送部材における記録媒体の載置面に対して垂直方向に離隔した位置に剥離ローラーを設け、当該剥離ローラーの回転により記録媒体に対して当該記録媒体を引き剥がす方向への力を加えながら巻き取る技術が用いられている。【０００４】  また、インクジェット記録装置には、インクジェットヘッドによる画像記録位置よりも記録媒体の搬送方向下流側に画像を撮像する撮像センサーなどの読取部を設けて、記録された画像を検査したり、読取結果を利用して画像の記録動作や記録部のメンテナンスに係る諸動作を行うタイミングを制御したりする技術がある。この場合、搬送面に粘着した記録媒体に対し、読取部による読取位置の下流で剥離動作が行われる（例えば、特許文献１）。
【先行技術文献】
【特許文献】
【０００５】
【特許文献１】国際公開第２０１３／１６１６２２号
【発明の概要】
【発明が解決しようとする課題】
【０００６】  しかしながら、記録媒体を搬送部材から引き剥がすことで剥離させる場合、従来の技術では、確実に適切な剥離位置を維持するのが難しいという課題がある。画像の読み取りを行った後に記録媒体を剥離させる場合、画像の読み取りに影響を及ぼさない位置で剥離を行わせる必要がある一方で、十分に余裕を持って剥離させようとすると必要な搬送距離が長くなり、画像記録装置の大型化に繋がるという課題がある。【０００７】  この発明の目的は、画像記録装置を大型化せずに、画像の読取後適切な範囲で記録媒体を剥離させることのできる画像記録装置を提供することにある。
【課題を解決するための手段】
【０００８】  上記目的を達成するため、請求項１記載の発明は、  記録媒体を搬送面に粘着させて搬送する搬送部と、  前記搬送面に粘着した記録媒体に対して画像を記録する記録部と、  前記搬送部による記録媒体の搬送経路における前記記録部による画像の記録動作範囲よりも、前記搬送部による記録媒体の搬送方向について下流側で記録媒体の表面を読み取る読取部と、  前記搬送面に粘着した記録媒体を前記搬送面から引き剥がすことで剥離させる剥離動作部と、  記録媒体の前記搬送面からの剥離状況を前記読取部による読取動作範囲よりも前記搬送方向について下流側で検出する検出部と、  を備える画像記録装置である。【０００９】  また、請求項２記載の発明は、請求項１記載の画像記録装置において、  前記検出部は、発光部と、前記発光部からの出射光を検出する受光部とを有し、  記録媒体の剥離に伴う前記搬送面からの浮き上がりの有無に応じて当該出射光の前記受光部への入射状態が変化することで前記剥離状況の検出が行われる。【００１０】  また、請求項３記載の発明は、請求項２記載の画像記録装置において、  前記出射光の経路は、前記搬送方向及び前記搬送面に平行な面内で当該搬送方向に垂直な幅方向に対してそれぞれ斜めの方向に定められている。【００１１】  また、請求項４記載の発明は、請求項２又は３記載の画像記録装置において、  前記検出部は、前記受光部を２つ有し、当該２つの受光部は、各々による前記出射光の検出結果の組み合わせに応じて記録媒体の剥離位置が前記搬送方向について所定の剥離範囲の内側、上流側及び下流側のうち何れであるかが判別可能に配置されている。【００１２】  また、請求項５記載の発明は、請求項４記載の画像記録装置において、  前記発光部は、前記出射光の出射位置よりも前記搬送方向について上流側で前記出射光を検出する上流側受光部と、前記出射位置よりも前記搬送方向について下流側で前記出射光を検出する下流側受光部との前記２つの受光部に対し、それぞれ前記出射光を出射する。【００１３】  また、請求項６記載の発明は、請求項４又は５記載の画像記録装置において、  前記検出部の検出結果に基づいて剥離位置が前記所定の剥離範囲内に収まるように前記剥離動作部の動作を制御する制御部を備える。【００１４】  また、請求項７記載の発明は、請求項６記載の画像記録装置において、  前記剥離動作部は、前記搬送部による記録媒体の搬送速度に同期した速度で当該記録媒体を前記搬送面から離隔する方向へ引き上げ、  前記制御部は、剥離位置と前記所定の剥離範囲との位置関係に基づいて前記引き上げの速度を変化させる。【００１５】  また、請求項８記載の発明は、請求項４〜７の何れか一項に記載の画像記録装置において、  前記搬送方向について前記所定の剥離範囲よりも上流側且つ前記読取動作範囲よりも下流側で記録媒体の剥離異常を検出する第１の剥離異常検出部を備える。【００１６】  また、請求項９記載の発明は、請求項４〜８の何れか一項に記載の画像記録装置において、  前記搬送方向について前記所定の剥離範囲よりも下流側で記録媒体の剥離異常を検出する第２の剥離異常検出部を備える。【００１７】  また、請求項１０記載の発明は、請求項１〜９の何れか一項に記載の画像��録装置において、  前記搬送面は、所定の周回経路に沿って周回移動する無端状部材の一の面であり、  前記搬送方向について前記読取動作範囲と前記所定の剥離範囲における最も下流側の位置との間には、前記無端状部材の振動を抑制する防振部が設けられている。【００１８】  また、請求項１１記載の発明は、請求項１０記載の画像記録装置において、  前記防振部は、前記無端状部材の前記一の面とは反対側の面に接して設けられ、当該無端状部材の周回移動に従って回転動作するローラーを有する。
【発明の効果】
【００１９】  本発明に従うと、画像記録装置において、大型化せずに、画像の読取後適切な範囲で記録媒体を剥離させることができるという効果がある。
【図面の簡単な説明】
【００２０】
【図１】第１実施形態のインクジェット記録装置の全体構成を示す斜視図である。
【図２】ヘッドユニットの搬送面と対向する面を模式的に示す図である。
【図３】インクジェット記録装置の機能構成を示すブロック図である。
【図４Ａ】剥離状況の検出について説明する図である。
【図４Ｂ】剥離状況の検出について説明する図である。
【図５Ａ】剥離状況の検出について説明する図である。
【図５Ｂ】剥離状況の検出について説明する図である。
【図５Ｃ】剥離状況の検出について説明する図である。
【図６】第１実施形態のインクジェット記録装置で実行される剥離制御処理の制御手順を示すフローチャートである。
【図７】第２実施形態のインクジェット記録装置の全体構成を示す斜視図である。
【図８】第２実施形態のインクジェット記録装置で実行される剥離制御処理の制御手順を示すフローチャートである。
【発明を実施するための形態】
【００２１】  以下、本発明の実施の形態を図面に基づいて説明する。［第１実施形態］  先ず、本発明の画像記録装置の第１実施形態であるインクジェット記録装置１について説明する。  図１は、第１実施形態のインクジェット記録装置１の全体構成を示す斜視図である。
【００２２】  このインクジェット記録装置１は、搬送部１０と、画像記録部２０（記録部）と、読取部３０と、制御部４０と、媒体検出部５０（検出部）と、剥離動作部６０などを備える。
【００２３】  搬送部１０は、駆動ローラー１１と、搬送ベルト１２と、従動ローラー１３と、搬送モーター１４と、エンコーダー１５と、押圧ローラー１６と、防振ローラー１９（防振部）などを有する。搬送ベルト１２は、無端状部材であり、駆動ローラー１１及び従動ローラー１３の間で架け渡され、搬送モーター１４の駆動によって駆動ローラー１１が回転動作するのに従って周回経路に沿って周回移動する。この搬送ベルト１２の外周面（一の面）を搬送面として画像記録部２０に対して所定の搬送方向に相対移動させることで、搬送部１０は、搬送面上に載置された記録媒体Ｐを当該搬送方向に所定の搬送速度で移動させる搬送動作を行う。搬送ベルト１２には、駆動ローラー１１及び従動ローラー１３との接触面で柔軟に屈曲し、且つ確実に記録媒体Ｐを支持する材質のものが用いられる。このような搬送ベルト１２としては、例えば、ゴムなどの樹脂製のベルトが挙げられる。従動ローラー１３は、搬送ベルト１２の移動に伴って回転する。
【００２４】  この搬送ベルト１２は、載置される記録媒体Ｐの浮き上がりを防止するように形成、処理されている。例えば、搬送ベルト１２の表面（搬送面）には、記録媒体Ｐを粘着させる粘着剤が塗布されている。搬送部１０は、画像記録部２０による画像記録動作が行われる画像記録位置（記録動作範囲）よりも搬送方向について上流側で記録媒体Ｐを搬送面に粘着させて搬送する。そして、搬送部１０は、記録媒体Ｐの搬送経路（即ち、記録媒体Ｐが搬送面に粘着されてから剥離されるまでの移動経路）上における読取部３０による読み取り範囲を通過後に剥離ローラー６１により搬送ベルト１２から離隔する方向（図面上方）に所定の強さ以上で記録媒体Ｐを引っ張らせることでこの記録媒体Ｐを搬送面から引き剥がして剥離させる。なお、読み取り範囲に比して読取部３０の装置構成自体が搬送方向について大きい（広い）場合には、読み取り範囲の通過直後に記録媒体Ｐが剥離されると、当該記録媒体Ｐが読取部３０に接触したりする可能性があるので、剥離位置は、読み取り範囲に加えて読取部３０の配置範囲、及び読み取り範囲から読取部３０へ入射する光の光路を含む読取動作に係る範囲（空間）全体の搬送方向についての範囲（読取動作範囲）を通過した後となるように定められる。また、照明により読み取り範囲を照明する場合には、照明光が読み取り範囲に届くまでに通過する空間も読取動作範囲に含まれる。粘着剤は、定期的に又は粘着状況に応じて不定期にユーザーや管理者などにより塗布されれば良い。
【００２５】  記録媒体Ｐとしては、搬送方向に連続した媒体が用いられ、ここでは、例えば、布帛である。記録媒体Ｐ上に適宜な間隔で記録された複数の画像は、図示略の後処理装置で乾燥（インクの定着）がなされ、また、巻取り若しくは振り落としがなされ、及び／又は各々裁断される。
【００２６】  搬送モーター１４は、制御部４０からの制御信号に応じた回転速度で駆動ローラー１１を回転動作させる。搬送モーター１４は、駆動ローラー１１を通常の搬送方向とは反対方向に逆回転させることも可能となっている。これにより、搬送ベルト１２は、駆動ローラー１１の回転速度に応じた搬送速度で記録媒体Ｐを搬送する。
【００２７】  エンコーダー１５は、記録媒体Ｐの搬送速度を検出する。ここでは、エンコーダー１５は、搬送モーター１４の回転速度を検出するロータリーエンコーダーであるが、これに限られない。
【００２８】  押圧ローラー１６は、搬送ベルト１２の載置面に供給される記録媒体Ｐを当該載置面に対して押圧することでしわなどの載置面からの浮きを除去する。
【００２９】  防振ローラー１９は、搬送方向について読取部３０による読取動作が行われる読取動作範囲の下流側で、搬送ベルト１２の内周面側（一の面とは反対側の面）に接して回転自在に設けられ、搬送ベルト１２の周回移動に従って回転動作しながら当該搬送ベルト１２を内側から支持することで、周回動作に応じて生じる搬送ベルト１２の振動を抑制する。ここでは、防振ローラー１９は、搬送方向について、記録媒体Ｐが通常剥離される剥離範囲である前方受光部５２と後方受光部５３との間に設けられているが、これよりも上流側であっても良い。
【００３０】  画像記録部２０は、インクをノズルから吐出して記録媒体Ｐの上面（搬送面に接する側とは反対側の面）に着弾させる（付与する）ことで画像を記録する記録動作を行う。画像記録部２０は、複数のヘッドユニット２１を有する。これらヘッドユニット２１からは、図示略のインク貯留部から供給される各々異なる色のインクが吐出される。設けられるヘッドユニット２１の数（即ち吐出されるインクの色数）やインクの色の種別は、特に限定されるものではないが、ここでは、一例として４つのヘッドユニット２１Ｙ、２１Ｍ、２１Ｃ、２１Ｋが図示されており、それぞれからイエロー、マゼンタ、シアン、黒色の各色のインクが吐出される。ヘッドユニット２１は、何れも搬送面に平行な面内にノズルが一次元又は二次元配列され、その配列範囲のうち幅方向の範囲が搬送ベルト１２により搬送され得る記録媒体Ｐの記録可能幅に応じて定められているラインヘッドである。
【００３１】  図２は、ヘッドユニット２１Ｋの搬送面と対向する面（ノズル面）を模式的に示す図である。  なお、ヘッドユニット２１Ｃ、２１Ｍ、２１Ｙも同一の構成を有するので、これらについては説明を省略する。
【００３２】  ヘッドユニット２１Ｋには、底面に所定の間隔（ノズル間隔）、ここでは例えば３６０ｄｐｉ（dot per inch）に対応して約７０．６μｍ間隔でノズル開口部が配列された吐出ヘッド２１１が複数（ここでは、１６個）設けられている。２個の吐出ヘッド２１１が組になり、各吐出ヘッド２１１のノズル開口部が幅方向について交互に配置されることで、合わせて７２０ｄｐｉ（ノズル間隔は約３５．３μｍ）の記録解像度による画像記録が可能となっている。この吐出ヘッド２１１の組が更に千鳥格子状に配置されることで、幅方向に均一な間隔で上述の記録可能幅に亘ってノズル開口部が配列されたラインヘッドを構成している。即ち、インクジェット記録装置１は、各ヘッドユニット２１が画像記録動作の間固定され、記録媒体Ｐの搬送に応じて搬送方向の異なる位置に所定の間隔（搬送方向間隔）で順次インクを吐出していくことで、ワンパス方式で画像を記録する。搬送方向間隔、即ち、搬送方向についての記録解像度は、ノズルからの吐出周波数と搬送速度などによって定まるが、上述の７２０ｄｐｉと等しくても良いし、異なっていても良い。
【００３３】  読取部３０は、搬送ベルト１２により載置されている記録媒体Ｐの表面を読み取る。読取部３０は、撮像センサー３１（インラインセンサー）を備え、搬送ベルト１２による搬送方向について、画像記録部２０による画像記録位置よりも下流側に設けている。これにより、読取部３０は、画像記録部２０により記録媒体Ｐ上に記録された画像を読み取ることができる。読取部３０の撮像センサー３１は、特には限られないが、ここでは、搬送方向に直交する幅方向について、記録媒体Ｐの記録可能幅に亘って一度に読み取ることが可能なラインセンサーである。本実施形態のインクジェット記録装置１では、特には限られないが、読取部３０による読み取りデータは、制御部４０による記録媒体Ｐへの記録画像の画質や画像記録位置の検査、記録媒体Ｐに記録されたテスト画像の読み取り結果に基づく画像記録部２０の動作検査（ノズルの吐出不良検査など）、あるいは記録媒体Ｐの異常検出などに用いられる。記録媒体Ｐの異常検査には、搬送面の異常に基づくものも含まれ得る。
【００３４】  制御部４０は、インクジェット記録装置１の各部の動作を統括制御する。
【００３５】  媒体検出部５０は、記録媒体Ｐの搬送ベルト１２からの剥離状況を検出する。媒体検出部５０は、第１発光部５１（発光部）と、前方受光部５２（上流側受光部）と、後方受光部５３（下流側受光部）と、第２発光部５６と、上流異常検出受光部５７などを備える。第１発光部５１と、前方受光部５２及び後方受光部５３（２つの受光部）とは、幅方向について搬送ベルト１２により搬送対象とされ得る記録媒体Ｐの最大幅より大きな間隔で当該搬送ベルト１２の両側面付近に設けられている。また、前方受光部５２は、第１発光部５１（出射光の出射位置）よりも搬送方向について上流側且つ読取部３０による上述の読取動作範囲よりも下流側の位置に設けられており、後方受光部５３は、第１発光部５１（出射光の出射位置）よりも搬送方向について下流側の位置に設けられている。第１発光部５１からは、搬送方向及び幅方向に対して所定角度の傾きを伴って（つまり、斜めの方向に）搬送ベルト１２の上方を横切るように指向性をもって二条の光（又は、所定の角度範囲で放射状に広がる光）が出射され、当該出射された光（出射光）が前方受光部５２及び後方受光部５３でそれぞれ検出されるか否かにより出射光の経路（光軸）上における記録媒体Ｐの剥離状況を検出する。
【００３６】  第２発光部５６及び上流異常検出受光部５７は、第１発光部５１、前方受光部５２及び後方受光部５３よりも搬送方向について上流側で、読取部３０（撮像センサー３１）との間に配置されており、記録媒体Ｐの剥離位置が正常な剥離範囲（図４Ａに示す基準剥離範囲ＮＡ）よりも上流側の異常剥離位置まで移動した場合に剥離異常の状態（ここでは、剥離が早過ぎる状態）を検出する第１の剥離異常検出部を構成する。
【００３７】  第１発光部５１及び第２発光部５６は、それぞれ適宜な波長の光を出射し、前方受光部５２、後方受光部５３及び上流異常検出受光部５７は、第１発光部５１及び第２発光部５６が出射した光の少なくとも一部の波長の光を検出する。
【００３８】  剥離動作部６０は、搬送部１０の搬送ベルト１２の搬送面に粘着されて搬送された記録媒体Ｐを搬送ベルト１２から適切な位置で引き剥がして（剥離させて）図示略の後処理装置へ送る。剥離動作部６０は、剥離ローラー６１と、剥離モーター６２などを備える。
【００３９】  剥離ローラー６１は、搬送ベルト１２に粘着した状態で搬送されてきた記録媒体Ｐを剥離モーター６２による回転動作に応じて所定の圧力で搬送ベルト１２の外周面から上方へ引っ張ることで、記録媒体Ｐを搬送面から引き剥がして後処理装置へ送る。剥離ローラー６１の表面は、記録媒体Ｐとの摩擦が大きいものが好ましく、これにより、記録媒体Ｐに対して効果的に引き剥がす力を加えることができる。記録媒体Ｐに着弾したインクが後処理装置で定着乾燥されるまでは、記録媒体Ｐのインク着弾面（画像記録面）にローラーなどが接触して画像が劣化しないように、剥離ローラー６１は、画像記録面と反対側の面のみで接触する。
【００４０】  剥離モーター６２は、制御部４０からの制御信号に応じた回転速度で剥離ローラー６１を回転動作させる。通常では、剥離モーター６２は、記録媒体Ｐの搬送速度に同期した速度で記録媒体Ｐを引き上げるように剥離ローラー６１を回転させる。
【００４１】  図３は、本実施形態のインクジェット記録装置１の機能構成を示すブロック図である。
【００４２】  このインクジェット記録装置１は、制御部４０と、記憶部４５と、搬送部１０の搬送モーター１４及びエンコーダー１５と、画像記録部２０のヘッド駆動部２２と、読取部３０の撮像センサー３１と、媒体検出部５０の第１発光部５１、前方受光部５２、後方受光部５３、第２発光部５６及び上流異常検出受光部５７と、剥離動作部６０の剥離モーター６２と、通信部７０と、操作表示部８０と、バス９０などを備える。
【００４３】  制御部４０は、インクジェット記録装置１の全体動作を統括制御する制御動作を行う。制御部４０は、ＣＰＵ４１（Central Processing Unit）、ＲＯＭ４２（Read Only Memory）及びＲＡＭ４３（Random Access Memory）などを備える。ＣＰＵ４１は、各種演算処理を行って各種制御に係る処理を実行する。ＲＯＭ４２には、各種制御に係る制御プログラムが格納されて保存されている。ＲＯＭ４２としては、マスクＲＯＭや読み書き可能な不揮発性メモリーが用いられる。
【００４４】  ＲＡＭ４３は、ＣＰＵ４１に作業用のメモリー空間を提供し、一時データや各種設定を記憶する。ＲＡＭ４３としては、ＳＲＡＭやＤＲＡＭなどの各種揮発性メモリーが用いられる。
【００４５】  記憶部４５は、通信部７０を介して取得された記録対象画像データ（記録対象データ）及びその処理データなどを記憶する。また、記憶部４５は、その他画像記録や調整検査に係る各種実行プログラムを記憶しても良く、ＣＰＵ４１が当該実行プログラムの実行時に読み出してＲＡＭ４３にロードして用いる。記憶部４５としては、例えば、ＨＤＤ（Hard Disk Drive）やフラッシュメモリーが用いられ、また、ＲＡＭなどが併用されても良い。
【００４６】  搬送モーター１４は、制御部４０からの制御信号に従って駆動ローラー１１を回転動作させることで、搬送ベルト１２を周回移動させる。搬送モーター１４の回転速度は、記録画像に要求される画質などに応じて変更可能であっても良い。
【００４７】  ヘッド駆動部２２は、各ヘッドユニット２１の吐出ヘッド２１１におけるインク吐出機構を動作させるための駆動信号を出力し、適切なタイミングで動作対象のノズルの開口部からインクを吐出させる。これらの駆動信号は、各ヘッドユニット２１（吐出ヘッド２１１）に対して並列に出力される。また、この駆動信号は、搬送部１０による記録媒体Ｐの搬送速度（位置）を計測する図示略のエンコーダーに同期して出力される。インク吐出機構としては、例えば、ノズルに連通するインク流路に沿って設けられた圧電素子に電圧を印加することで圧電素子を変形させてインク流路内のインクに所定の圧力パターンで圧力を加えてインクを吐出させるピエゾ式のものや、電熱線に電流を流すことで発熱させ、インク流路内のインクを加熱、一部を気化させることで体積変化を生じさせてインクに圧力を加えて吐出させるサーマル式のものなどが用いられる。
【００４８】  撮像センサー３１は、上述のように、ラインセンサーであり、記録媒体Ｐの上面（画像記録部２０による記録面）を撮像して一次元画像を出力する。撮像センサー３１は、搬送部１０による記録媒体Ｐの搬送速度に応じた所定の間隔で一次元画像の撮像及び出力を行うことで、記録媒体Ｐの上面の二次元画像を出力することができる。
【００４９】  第１発光部５１及び第２発光部５６は、上述のように、記録媒体Ｐの搬送時に所定の光を出射する。この光は、指向性の強い光が好ましく、特には限られないが、例えば、レーザー光である。また、光の波長も特に限られないが、外光による影響の小さいものが好ましく、例えば、赤外光などが用いられる。また、赤外光とともに可視光、例えば赤色光を出射させて、ユーザーや管理者に第１発光部５１及び第２発光部５６の発光動作が適切になされていることを示しても良い。
【００５０】  前方受光部５２、後方受光部５３及び上流異常検出受光部５７は、入射光を検出して入射光量に応じた信号（電荷量、電圧値や電流値など）を出力する。前方受光部５２、後方受光部５３及び上流異常検出受光部５７の受光面は、第１発光部５１や第２発光部５６からの出射光の光軸（又は幅方向）に対して略垂直に設けられ、当該出射光の波長のうち少なくとも一部を検出する。上述のように、赤外波長から赤色波長にかけての光が出射されている場合に、前方受光部５２、後方受光部５３及び上流異常検出受光部５７は、赤外光のみを検出することで、外光の影響を低減させる構成とすることができる。前方受光部５２及び後方受光部５３は、入射光量に応じた信号を所定の基準値で二値化して、第１発光部５１や第２発光部５６からの光の入射有無に係る情報のみを出力する構成であっても良い。
【００５１】  剥離モーター６２は、剥離ローラー６１を回転、移動させるものであり、制御部４０からの制御信号に応じ、搬送ベルト１２の周回移動に伴って移動する記録媒体Ｐを搬送ベルト１２から引き剥がし、また、回転速度を変化させて記録媒体Ｐの剥離位置を調節する。
【００５２】  通信部７０は、外部のコンピューター端末やプリントサーバーなどから記録対象画像データやプリントジョブを取得し、また、画像記録に係るステータス信号を出力する。
【００５３】  操作表示部８０は、ユーザーの入力操作受付画面やステータス情報を表示する表示部８１と、ユーザーの入力操作を受け付けて、操作信号を制御部４０に出力する操作受付部８２とを有する。ここでは、操作表示部８０は、例えば、タッチセンサーが設けられた液晶画面及びそのドライバーを有する。あるいは、表示部８１としては、有機ＥＬディスプレイなどの他の表示方式に係る表示画面が用いられても良く、また、ステータス表示用のＬＥＤランプなどが併用されても良い。また、操作受付部８２としては、タッチパネルに代えて又は加えて押しボタンスイッチや回転スイッチなどが設けられていても良い。
【００５４】  バス９０は、制御部４０と他の各部との間で信号の送受信を行うための伝送経路である。
【００５５】  次に、本実施形態のインクジェット記録装置１における記録媒体Ｐの剥離動作制御について説明する。  本実施形態のインクジェット記録装置１では、画像記録部２０による画像記録動作及び読取部３０による読取動作（撮像動作）がなされた後に、搬送ベルト１２に粘着している記録媒体Ｐが剥離される。この場合の剥離ローラー６１による剥離位置は、剥離にかかる引っ張り応力と粘着力との大小関係で定まるので、必ずしも一定の位置に固定されない。従って、インクジェット記録装置１では、読取動作に悪影響を及ぼさない位置範囲、特に、読取部３０による読取動作範囲より下流側で剥離されているかを媒体検出部５０が検出する。
【００５６】  図４Ａ、図４Ｂ、図５Ａ、図５Ｂ及び図５Ｃは、剥離状況の検出について説明する図である。  図４Ａ及び図４Ｂは、正常に剥離している場合における記録媒体Ｐの検出状況を説明する図である。図４Ａは、記録媒体Ｐの画像記録面に対向する側（上側）から見た平面図であり、図４Ｂは、幅方向から見た正面図である。  図５Ａ〜図５Ｃは、剥離位置が正常範囲から外れた場合における記録媒体Ｐの検出状況を説明する正面図である。
【００５７】  ここでは、第１発光部５１から後方受光部５３への出射光Ｒ２の経路が、記録媒体Ｐの正常な剥離範囲とされる基準剥離範囲ＮＡ（所定の剥離範囲）に対して交差するように定められている。これにより、記録媒体Ｐが正常に基準剥離範囲ＮＡ内の剥離位置Ｃで剥離している場合には、図４Ａ及び図４Ｂに示すように、第１発光部５１から後方受光部５３への出射光Ｒ２は、搬送ベルト１２から剥離して浮き上がった記録媒体Ｐ上の位置Ｄで遮断される。従って、後方受光部５３は、第１発光部５１からの出射光Ｒ２を検出しない。一方で、このとき、前方受光部５２により第１発光部５１からの出射光Ｒ１が検出される。
【００５８】  これに対し、剥離位置ＣＢが基準剥離範囲ＮＡより下流側に偏った場合には、図５Ａに示すように、第１発光部５１から後方受光部５３への出射光Ｒ２が記録媒体Ｐにより妨げられなくなるので、前方受光部５２及び後方受光部５３でそれぞれ出射光Ｒ１、Ｒ２が検出される状態に変化する。
【００５９】  反対に、剥離位置ＣＦが基準剥離範囲ＮＡより上流側に偏った場合には、図５Ｂに示すように、第１発光部５１から前方受光部５２への出射光Ｒ１が搬送面から浮き上がった記録媒体Ｐにより当該記録媒体Ｐ上の位置Ｄで妨げられる。従って、前方受光部５２は、第１発光部５１からの出射光Ｒ１を検出しない。一方で、後方受光部５３により第１発光部５１からの出射光Ｒ２が検出される。
【００６０】  このように、前方受光部５２及び後方受光部５３への出射光の入射状態の変化に応じて剥離位置が基準剥離範囲ＮＡの内側、上流側及び下流側のうち何れにあるかが判別可能となる。剥離位置が基準剥離範囲ＮＡより上流側に偏ったことが検出された場合には、剥離モーター６２による剥離ローラー６１の回転速度を一時的に低下させて記録媒体Ｐにかかる張力を低下させ、剥離位置ＣＦを下流側に移動させる。一方、剥離位置が基準剥離範囲ＮＡより下流側に偏ったことが検出された場合には、剥離モーター６２による剥離ローラー６１の回転速度を一時的に上昇させて記録媒体Ｐにかかる張力を上昇させ、剥離位置ＣＢを上流側に移動させる。剥離位置が基準剥離範囲ＮＡに戻ったのが確認された後、剥離ローラー６１の回転速度を適宜戻す制御動作が行われる。
【００６１】  また、記録媒体Ｐの剥離が早過ぎて剥離位置ＣＣが前方受光部５２による検出範囲よりも更に上流側に移動した場合、図５Ｃに示すように、第２発光部５６から上流異常検出受光部５７への出射光Ｒ３が位置Ｄで妨げられることで異常の検出がなされる。この場合には、記録媒体Ｐの読取部３０及び画像記録部２０への接触や画像記録部２０から吐出されたインクの飛散、付着などによる汚れを防ぐために、搬送部１０による搬送動作及び画像記録部２０による画像記録動作を速やかに中止させる。このような異常の原因としては、例えば、搬送ベルト１２上に塗布された粘着剤や搬送ベルト１２上に付着したゴミや埃など粘着に係る異常、記録媒体Ｐの載置異常や剥離モーター６２の動作異常などが想定される。
【００６２】  図６は、本実施形態のインクジェット記録装置１で実行される剥離制御処理の制御部４０による制御手順を示すフローチャートである。  この剥離制御処理は、搬送部１０の搬送動作（搬送モーター１４の回転動作）の開始に伴って呼び出されて開始され、当該搬送動作（回転動作）が継続されている間継続される。
【００６３】  剥離制御処理が開始されると、制御部４０（ＣＰＵ４１）は、第１発光部５１及び第２発光部５６に発光動作を開始させる（ステップＳ１０１）。制御部４０は、前方受光部５２、後方受光部５３及び上流異常検出受光部５７の各々から入射光の検出情報を取得する（ステップＳ１０２）。
【００６４】  制御部４０は、上流異常検出受光部５７により基準以上の光量が検出されなかったか否かを判別する（ステップＳ１０３）。検出されなかったと判別された場合には（ステップＳ１０３で“ＹＥＳ”）、制御部４０は、剥離異常が検出されたとして剥離異常を示す所定の報知動作を表示部８１により行わせ、また、搬送部１０による搬送動作、剥離動作部６０による剥離動作、及び画像記録部２０による画像記録動作を中止させる（ステップＳ１１３）。そして、制御部４０は、剥離制御処理を終了する。
【００６５】  上流異常検出受光部５７により基準値以上の光量が検出されたと判別された場合には（ステップＳ１０３で“ＮＯ”）、制御部４０は、前方受光部５２により基準以上の光量が検出され、且つ後方受光部５３により基準以上の光量が検出されなかったか否かを判別する（ステップＳ１０４）。前方受光部５２により基準以上の光量が検出され、且つ後方受光部５３により基準以上の光量が検出されなかったと判別された場合には（ステップＳ１０４で“ＹＥＳ”）、制御部４０は、剥離モーター６２を通常速度で回転動作させる（ステップＳ１１４）。既に通常速度で回転動作がなされている場合には、制御部４０は、そのまま制御動作を継続させれば良い。それから、制御部４０の処理は、ステップＳ１０２に戻る。
【００６６】  前方受光部５２により基準以上の光量が検出されないか、又は後方受光部５３により基準以上の光量が検出されたと判別された場合には（ステップＳ１０４で“ＮＯ”）、制御部４０は、前方受光部５２により基準以上の光量が検出されず、且つ後方受光部５３により基準以上の光量が検出されたか否かを判別する（ステップＳ１０５）。前方受光部５２により基準以上の光量が検出されず、且つ後方受光部５３により基準以上の光量が検出されたと判別された場合には（ステップＳ１０５で“ＹＥＳ”）、制御部４０は、剥離モーター６２を通常速度よりも遅い所定の低速度で回転動作させる（ステップＳ１１５）。既に低速度で回転動作がなされている場合には、制御部４０は、そのまま制御動作を継続させれば良い。それから、制御部４０の処理は、ステップＳ１０２に戻る。
【００６７】  前方受光部５２により基準以上の光量が検出されたか、又は後方受光部５３により基準以上の光量が検出されなかったと判別された場合には（ステップＳ１０５で“ＮＯ”）、制御部４０は、前方受光部５２により基準以上の光量が検出され、且つ後方受光部５３により基準以上の光量が検出されたか否かを判別する（ステップＳ１０６）。前方受光部５２により基準以上の光量が検出され、且つ後方受光部５３により基準以上の光量が検出されたと判別された場合には（ステップＳ１０６で“ＹＥＳ”）、制御部４０は、剥離モーター６２を通常速度よりも速い所定の高速度で回転動作させる（ステップＳ１１６）。既に高速度で回転動作がなされている場合には、制御部４０は、そのまま制御動作を継続させれば良い。それから、制御部４０の処理は、ステップＳ１０２に戻る。
【００６８】  前方受光部５２により基準以上の光量が検出されず、又は、後方受光部５３により基準以上の光量が検出されなかったと判別された場合（即ち、何れからも基準以上の光量が検出されなかった場合）には（ステップＳ１０６で“ＮＯ”）、検出異常が生じているので、制御部４０は、検出異常を示す所定の報知動作を表示部８１により行わせ、画像記録に係る全ての動作を停止させる（ステップＳ１０７）。そして、制御部４０は、剥離制御処理を終了する。
【００６９】  以上のように、本実施形態のインクジェット記録装置１は、記録媒体Ｐを搬送面に粘着させて搬送する搬送部１０と、搬送面に粘着した記録媒体Ｐに対して画像を記録する画像記録部２０と、搬送部１０による記録媒体Ｐの搬送経路における画像記録部２０による画像の記録動作範囲よりも、搬送部１０による記録媒体Ｐの搬送方向について下流側で記録媒体Ｐの表面を読み取る読取部３０と、搬送面に粘着した記録媒体Ｐを当該搬送面から引き剥がすことで剥離させる剥離動作部６０と、記録媒体Ｐの搬送面からの剥離状況を読取部３０による読取動作範囲よりも搬送方向について下流側で検出する媒体検出部５０と、を備える。  これにより、搬送面に記録媒体Ｐを粘着させる搬送部１０を有するインクジェット記録装置１において、剥離位置のばらつきを考慮して読取部３０より下流に大きな剥離可能範囲を定める必要はなく、サイズを大型化せずに適切に読取部３０による画像の読み取り及びその後の記録媒体Ｐの剥離が可能になる。従って、不良画像の除外やインクジェットヘッドのメンテナンスなどを適切に行うことができるようになる。また、媒体検出部５０により読取動作範囲よりも下流側で記録媒体Ｐの剥離状況を適切に検出することで、記録媒体Ｐの剥離位置が読み取り動作に悪影響を与えるのを防ぐことができる。
【００７０】  また、媒体検出部５０は、第１発光部５１と、第１発光部５１からの出射光を検出する前方受光部５２及び後方受光部５３とを有し、記録媒体Ｐの剥離に伴う搬送面からの浮き上がりの有無に応じて第１発光部５１からの出射光の前方受光部５２及び後方受光部５３への入射状態が変化することで剥離状況の検出が行われる。  このように、透過型光センサーを用いて記録媒体の剥離有無を検出することで、容易且つ確実に記録媒体の読取動作が可能に剥離位置を読取動作範囲内から大きく外れないように維持することができる。
【００７１】  また、第１発光部５１からの出射光の経路は、搬送方向及び幅方向に対してそれぞれ斜めの方向（ここでは、更に搬送面に平行な面内）に定められている。これにより、剥離位置が幅方向に沿って伸びている場合に、搬送方向について剥離位置が一点ではなく所定の幅内で検出が可能になるので、検出ミスや検出漏れを生じにくく、また、より容易且つ確実に剥離位置が適切な範囲にあるか否かを分類することができる。これにより、剥離位置の多少のずれに対してより柔軟且つ適切に対応しつつ確実に読み取り動作を行うことができる。
【００７２】  また、媒体検出部５０は、前方受光部５２及び後方受光部５３の２つの受光部を有し、当該２つの受光部は、各々による第１発光部５１からの出射光の検出結果の組み合わせに応じて記録媒体Ｐの剥離位置が搬送方向について基準剥離範囲ＮＡの内側、上流側及び下流側のうち何れであるかが判別可能に配置されている。これにより、剥離位置が基準剥離範囲ＮＡからずれた場合に容易に適切な対応を行いやすくなるので、容易な制御で読取動作を更に安定して行いやすい。
【００７３】  また、第１発光部５１は、出射光の出射位置よりも搬送方向について上流側でこの出射光を検出する前方受光部５２と、出射位置よりも搬送方向について下流側で出射光を検出する後方受光部５３との２つの受光部に対し、それぞれ出射光を出射する。これにより、第１発光部５１をコンパクトに構成しながら十分な剥離位置の情報を得ることができ、読取動作を安定して行いやすくなる。
【００７４】  また、媒体検出部５０の検出結果に基づいて剥離位置が基準剥離範囲ＮＡの内部に収まるように剥離動作部６０の動作を制御する制御部４０を備える。このような制御を行うことで、多少剥離位置が基準剥離範囲ＮＡからずれた段階で搬送動作、画像記録動作や読取動作を中止させずに安定して剥離位置を修正することが可能になるので、インクジェット記録装置１において、ユーザーが対処する手間を低減し、また、長期間画像記録動作を継続的に続けやすくなる。
【００７５】  また、剥離動作部６０は、搬送部１０による記録媒体Ｐの搬送速度に同期した速度で当該記録媒体Ｐを搬送面から離隔する方向へ引き上げ、制御部４０は、剥離位置と基準剥離範囲ＮＡとの位置関係に基づいて引き上げの速度を変化させる。  このような構成により、剥離動作部６０は、容易に概ね安定して剥離位置を大きくずらさずに維持させることができるとともに、剥離位置に多少のずれが生じても当該剥離位置を少しずつ微修正することができるので、画像記録動作や読取動作に悪影響を与えずに連続的に画像記録動作を継続させることができる。
【００７６】  また、インクジェット記録装置１は、搬送方向について基準剥離範囲ＮＡよりも上流側且つ読取動作範囲よりも下流側で記録媒体Ｐの剥離異常を検出する第２発光部５６及び上流異常検出受光部５７を備える。これにより、インクジェット記録装置１では、多少の剥離位置のずれに対しては、上述のように画像記録動作、読取動作や搬送動作を継続させながら微修正で対応しつつ、画像記録部２０や読取部３０などに悪影響を及ぼし得るような大きな剥離位置のずれが生じた場合を検出して即座に対応することが可能になる。
【００７７】  また、記録媒体Ｐの搬送面は、所定の周回経路に沿って周回移動する無端状部材である搬送ベルト１２の一の面（外周面）であり、搬送方向について読取動作範囲と基準剥離範囲ＮＡにおける最も下流側の位置との間には、搬送ベルト１２の振動を抑制する防振ローラー１９が設けられている。  これにより、インクジェット記録装置１では、粘着力に逆らって行われる記録媒体Ｐの剥離動作に応じて生じやすい微振動が搬送ベルト１２に沿って伝わるのを低減させて、読取部３０による読取動作や画像記録部２０による画像記録動作に悪影響が及ぶのを防ぎ、又は低減させることができる。
【００７８】  また、防振ローラー１９は、搬送ベルト１２の外周面（搬送面）とは反対側の面に接して設けられ、搬送ベルト１２の周回移動に従って回転動作する。従って、インクジェット記録装置１では、容易な構成で搬送ベルト１２の周回動作を妨げずに効果的に搬送ベルト１２の振動を低減させることができる。
【００７９】［第２実施形態］  次に、本発明の第２実施形態のインクジェット記録装置について説明する。  図７は、本実施形態のインクジェット記録装置１ａの全体構成を示す斜視図である。
【００８０】  このインクジェット記録装置１ａでは、媒体検出部５０において、前方受光部５２及び後方受光部５３に各々対応して２つの独立した発光部５１１、５１２が設けられている。また、後方受光部５３よりも更に搬送方向に下流側には、第３発光部５８及び下流異常検出受光部５９が設けられている。  また、防振ローラー１９は、読取部３０による読取範囲とは反対側で搬送ベルト１２の内面側を支持している。  その他の構成及びその配置については第１実施形態のインクジェット記録装置１と同一であり、同一の構成には同一の符号を用いることとして説明を省略する。
【００８１】  本実施形態のインクジェット記録装置１ａでは、発光部と受光部とが１つずつそれぞれ対になって、搬送方向に等しい位置に設けられている。この場合、記録媒体Ｐの剥離位置が搬送方向に一様であるとすると、剥離位置が前後して発光部と受光部との間を横切ったタイミングでのみ発光部からの出射光の受光部への入射が妨げられる。
【００８２】  第３発光部５８及び下流異常検出受光部５９は、第１発光部５１、前方受光部５２及び後方受光部５３よりも搬送方向について下流側に配置されており、記録媒体Ｐの剥離位置が正常な剥離範囲（基準剥離範囲ＮＡ）よりも下流側の異常剥離位置まで移動した場合に剥離異常の状態（ここでは、剥離が遅過ぎる状態）を検出する第２の剥離異常検出部を構成する。
【００８３】  図８は、本実施形態のインクジェット記録装置１ａで実行される剥離制御処理の制御部４０による制御手順を示すフローチャートである。
【００８４】  この剥離制御処理が開始されると、制御部４０は、発光部５１１、５１２、第２発光部５６及び第３発光部５８の発光動作を開始させる（ステップＳ１２１）。制御部４０は、前方受光部５２、後方受光部５３、上流異常検出受光部５７及び下流異常検出受光部５９から光検出情報を取得する（ステップＳ１２２）。
【００８５】  制御部４０は、上流異常検出受光部５７及び下流異常検出受光部５９の何れかにおいて基準以上の光量低下が検出されたか否かを判別する（ステップＳ１２３）。検出されたと判別された場合には（ステップＳ１２３で“ＹＥＳ”）、制御部４０は、剥離異常を検出した旨、表示部８１により報知させ、搬送部１０の搬送動作、剥離動作部６０の剥離動作及び画像記録部２０による画像記録動作を中止させる（ステップＳ１３３）。そして、制御部４０は、剥離制御処理を終了する。
【００８６】  上流異常検出受光部５７及び下流異常検出受光部５９の何れにおいても基準以上の光量低下が検出されていないと判別された場合には（ステップＳ１２３で“ＮＯ”）、制御部４０は、前方受光部５２が基準以上の光量低下を検出したか否かを判別する（ステップＳ１２４）。検出されたと判別された場合には（ステップＳ１２４で“ＹＥＳ”）、制御部４０は、現在、剥離モーター６２を低速度動作中であるか否かを判別する（ステップＳ１３４）。低速度動作中ではないと判別された場合には（ステップＳ１３４で“ＮＯ”）、制御部４０は、剥離モーター６２を上述の低速度動作に変化させる（ステップＳ１４４）。それから制御部４０の処理は、ステップＳ１０２に戻る。低速度動作中であると判別された場合には（ステップＳ１３４で“ＹＥＳ”）、制御部４０は、剥離モーター６２を通常速度での動作に変化させる（ステップＳ１３６）。それから、制御部４０の処理は、ステップＳ１０２に戻る。
【００８７】  ステップＳ１２４の判別処理で、前方受光部５２により基準以上の光量低下が検出されていないと判別された場合には（ステップＳ１２４で“ＮＯ”）、制御部４０は、後方受光部５３により基準以上の光量低下が検出されたか否かを判別する（ステップＳ１２５）。光量低下が検出されたと判別された場合には（ステップＳ１２５で“ＹＥＳ”）、制御部４０は、現在剥離モーター６２が高速度動作中であるか否かを判別する（ステップＳ１３５）。高速度動作中ではないと判別された場合には（ステップＳ１３５で“ＮＯ”）、制御部４０は、剥離モーター６２を高速度動作に変化させる（ステップＳ１４５）。それから、制御部４０の処理は、ステップＳ１０２に戻る。高速度動作中であると判別された場合には（ステップＳ１３５で“ＹＥＳ”）、制御部４０の処理は、ステップＳ１３６に移行して、制御部４０は、剥離モーター６２を通常速度動作に変化させる（ステップＳ１３６）。
【００８８】  ステップＳ１２５の判別処理で、後方受光部５３により基準以上の光量低下が検出されていないと判別された場合には（ステップＳ１２５で“ＮＯ”）、制御部４０の処理は、ステップＳ１０２に戻る。
【００８９】  以上のように、第２実施形態のインクジェット記録装置１ａは、搬送方向について基準剥離範囲ＮＡよりも下流側で記録媒体Ｐの剥離異常を検出する第３発光部５８及び下流異常検出受光部５９を備える。これにより、剥離が早過ぎる異常だけでなく、適切に剥離がなされない異常も検出できるので、画像記録後の記録媒体Ｐが搬送ベルト１２の周回移動に従って下方などに巻き込まれるといったトラブルも防ぐことができる。
【００９０】  なお、本発明は、上記実施の形態に限られるものではなく、様々な変更が可能である。  例えば、上記第１実施形態では、通常の剥離検出に加えて搬送方向について基準剥離範囲ＮＡよりも上流側に異常検出用の構成を有し、第２実施形態では、上流側に加えて下流側にも異常検出用の構成を有する場合について説明したが、下流側だけに異常検出用の構成が設けられていても良いし、何れも設けられなくても良い。
【００９１】  また、上記第１実施形態のインクジェット記録装置１では、第１発光部５１の同一出射位置から前方受光部５２及び後方受光部５３に対して出射光を出射させたが、前方受光部５２への出射位置が後方受光部５３への出射位置よりも下流側にあっても良い。この場合、例えば、前方受光部５２及び後方受光部５３の両方で出射光の検出がなされない範囲が最適な剥離位置であるように定めることができる。また、このように配置することで、両方で検出されない場合、一方でのみ検出される場合、何れも検出される場合の４パターンに分けられるので、より細かい制御を行うことができる。あるいは、何れも検出される範囲を異常剥離状態の範囲として、別途異常検出に係る構成を設けないこともできる。
【００９２】  また、上記第２実施形態のインクジェット記録装置１ａでは、発光部５１１から前方受光部５２への出射光及び発光部５１２から後方受光部５３への出射光を何れも搬送方向に垂直方向としたが、搬送方向に重複しない範囲で少なくとも一方が搬送方向に対して斜め方向であっても良い。また、両方の出射光が搬送方向に対して斜め方向である場合、それらが互いに平行であっても良いし平行でなくても良い。
【００９３】  また、上記実施の形態では、基準剥離範囲ＮＡとして搬送方向について第１発光部５１の発光位置と後方受光部５３の受光位置との間に定めたが、第１発光部５１の発光位置と前方受光部５２の受光位置との間であっても良い。上記実施形態の設定とこの設定のうち何れが選択されるかは、基準剥離範囲ＮＡと読取動作範囲との間に必要な距離、例えば、剥離位置で記録媒体Ｐを剥離させる際に生じる搬送ベルト１２の振動が読取動作範囲に伝わるまでの減衰の度合いなどに応じて定められれば良い。また、前方受光部５２への出射光の搬送方向に対する傾き角度と、後方受光部５３への出射光の搬送方向に対する傾き角度とは、異なっていても良い。
【００９４】  また、上記実施の形態では、２つの受光部による出射光の検出有無の組み合わせにより基準剥離範囲ＮＡ内部、その上流側又は下流側における剥離を区別可能としたが、これに限られない。例えば、剥離位置を基準剥離範囲ＮＡの上流側端部でのみ、又は基準剥離範囲ＮＡの内部にあるか否かのみを検出可能とし、剥離位置が上流側端部に接した場合には、所定時間剥離モーター６２の回転動作を搬送モーター１４の回転動作に比して若干低速とさせ、その後搬送モーター１４の回転動作に比して若干高速とさせる制御を繰り返しても良い。
【００９５】  また、更に剥離位置を定量的に評価可能に複数の検出部を設けて、制御部４０は、より細かく剥離モーター６２の動作を制御することとしても良い。また、上記実施の形態では、剥離モーター６２を３段階の速度で回転させるものとして示したが、速度の切り替え時には、連続的又は段階的に速度を変化させることとして良い。
【００９６】  また、上記実施の形態では、制御部４０が前方受光部５２及び後方受光部５３による出射光の検出有無に応じて直接制御を行うこととしたが、ＰＬＣ（Programmable Logic Controller）などを介して剥離モーター６２に信号を出力させても良い。
【００９７】  また、上記実施の形態では、防振ローラー１９が設けられることとしたが、設けられていなくても良い。また、防振ローラー１９の代わりにプラテンなど板状部材によって搬送ベルト１２が支持される構成であっても良いし、複数のローラーが適宜な間隔で配置されていても良い。
【００９８】  また、上記実施の形態では、カラーインクで通常の画像を記録するインクジェット記録装置について説明したが、無色のインクでコーティングや光沢付与などの処理を装置についても本発明の画像記録装置に含まれる。
【００９９】  また、上記実施の形態では、インクジェット記録装置を例に挙げて説明したが、その他の画像記録装置、例えば、ＬＥＤプリンターなどにおいてＬＥＤ素子の検査に用いられる撮像センサーを設ける場合などにも本発明を適用することができる。  その他、上記実施の形態で示した構成、配置、制御内容や制御手順などの具体的な細部は、本発明の趣旨を逸脱しない範囲において適宜変更可能である。
【産業上の利用可能性】
【０１００】  この発明は、画像記録装置に利用することができる。
【符号の説明】
【０１０１】１、１ａ      インクジェット記録装置１０   搬送部１１   駆動ローラー１２   搬送ベルト１３   従動ローラー１４   搬送モーター１５   エンコーダー１６   押圧ローラー１９   防振ローラー２０   画像記録部２１、２１Ｃ、２１Ｍ、２１Ｙ、２１Ｋ      ヘッドユニット２１１ 吐出ヘッド２２   ヘッド駆動部３０   読取部３１   撮像センサー４０   制御部４１   ＣＰＵ４２   ＲＯＭ４３   ＲＡＭ４５   記憶部５０   媒体検出部５１   第１発光部５１１、５１２       発光部５２   前方受光部５３   後方受光部５６   第２発光部５７   上流異常検出受光部５８   第３発光部５９   下流異常検出受光部６０   剥離動作部６１   剥離ローラー６２   剥離モーター７０   通信部８０   操作表示部８１   表示部８２   操作受付部９０   バスＮＡ   基準剥離範囲Ｐ     記録媒体
【図１】
2018110630.tif 000003
【図２】
2018110630.tif 000004
【図３】
2018110630.tif 000005
【図４Ａ】
2018110630.tif 000006
【図４Ｂ】
2018110630.tif 000007
【図５Ａ】
2018110630.tif 000008
【図５Ｂ】
2018110630.tif 000009
【図５Ｃ】
2018110630.tif 000010
【図６】
2018110630.tif 000011
【図７】
2018110630.tif 000012
【図８】
2018110630.tif 000013
【国際調査報告】
2018110630.tif 000014
2018110630.tif 000015
2018110630.tif 000016
2018110630.tif 000017